(57)【要約】【課題】オゾンを散気することで処理効率が向上された排水処理装置を提供する。【解決手段】本発明の排水処理装置１０は、排水２４が導入される処理タンク１２と、処理タンク１２に貯留された排水２４に浸漬された濾過膜１６と、濾過膜１６の下方でオゾン化空気３０を発生させる散気部２８とを備えている。よって、稼働状況下にて、濾過膜１６に付着した汚泥層２２に直にオゾン化空気３０が接触するので、汚泥層２２に含まれる菌が適度に殺菌され、ファウリングの発生等が抑止される。【選択図】図１
2014233685.tif 000002
【特許請求の範囲】
【請求項１】
活性汚泥を含む排水が貯留される処理タンクと、
前記排水に浸漬される濾過膜と、
オゾンを含む空気であるオゾン化空気を、前記排水の内部にて前記濾過膜の下方で発生させる気体発生手段と、を備え、
前記気体発生手段は、前記濾過膜に付着した前記活性汚泥から成る汚泥層の表面に、前記オゾン化空気が接触する様に、前記オゾン化空気を発生させることを特徴とする排水処理装置。
【請求項２】
前記処理タンクの内部には複数の前記濾過膜が配置され、
前記気体発生手段は、前記濾過膜同士の間の下方で前記オゾン化空気を発生させることを特徴とする請求項１に記載の排水処理装置。
【請求項３】
前記濾過膜は、第１濾過膜と、前記第１濾過膜に隣設された第２濾過膜とを有し、
前記オゾン化空気は、前記第１濾過膜の濾過面に堆積した汚泥層と、第２濾過膜の濾過面に堆積した汚泥層の、両方に接触しながら上昇することを特徴とする請求項１または請求項２に記載の排水処理装置。
【請求項４】
前記気体発生手段から発生した前記オゾン化空気の直径を大きくする気体拡大手段を更に備えることを特徴とする請求項１から請求項３の何れかに記載の排水処理装置。
【請求項５】
前記オゾン化空気に前記オゾンが含まれる割合は１０ｐｐｍ以上３０ｐｐｍ以下であることを特徴とする請求項１または請求項４の何れかに記載の排水処理装置。
【発明の詳細な説明】
【技術分野】
【０００１】
本発明は、活性汚泥法により有機性排水を処理する排水処理装置に関する。
【背景技術】
【０００２】
汚水処理装置として、活性汚泥を用いたものが従来から知られている。具体的には、この種の装置は、汚水に曝気を施して活性汚泥処理を行わせる曝気槽と、この曝気槽に設けられ槽内の活性汚泥混合液を濾過により固液分離する濾過膜装置と、この濾過膜装置に接続されて同部材による濾液を吸引して外部へ流出させるための吸引ポンプと、濾過膜装置と吸引ポンプとを結ぶ吸引経路に設けられ濾過膜装置にかかる吸引ポンプの吸引負圧を測定するための圧力計とを備えている。
【０００３】
また、汚水の更なる浄化処理を行うために、活性汚泥法にオゾンを適用させる汚水処理方法も提案されている（特許文献１）。この文献の図１およびその説明箇所を参照すると、活性汚泥法による汚水処理を生物反応槽１で行い、この層の外部にオゾン供給装置８を備えている。具体的な処理方法は、先ず、活性汚泥が貯留された生物反応槽１に原水が導入される。そして、活性汚泥の作用により浄化された処理水は循環ポンプ３により分離膜２に導入され、分離膜２にて固液分離処理が行われる。その結果得られた処理水が逆洗排水タンク７に貯留され、この逆洗排水タンク７の内部でオゾン供給装置８により処理水にオゾンが供給される。オゾンが添加された処理水はポンプ９で生物反応槽１に戻される。これより、分離膜の膜濾過性能の安定性が確保される。
【先行技術文献】
【特許文献】
【０００４】
【特許文献１】ＷＯ２００９／０９０７２５号公報
【発明の概要】
【発明が解決しようとする課題】
【０００５】
しかしながら、上記した特許文献１に記載された技術内容では、非常に高濃度のオゾンを用いるため、そのまま高濃度のオゾンを処理槽に導入すると、活性汚泥に含まれる有用な菌まで死滅させてしまう恐れがあった。
【０００６】
更に、低濃度のオゾンを系外で処理水に添加することも考えられるか、オゾンが低濃度であると処理水にオゾンを溶融させることが困難であり、十分なオゾンによる殺菌の効果が得られない恐れがある。更にまた、オゾンの濃度管理を間違えると、活性汚泥に含まれる有用な菌が死滅してしまう恐れもある。
【０００７】
本発明は、このような問題点を鑑みてなされたものであり、本発明の目的は、オゾンを散気することで処理効率が向上された排水処理装置を提供することに有る。
【課題を解決するための手段】
【０００８】
本発明の排水処理装置は、活性汚泥を含む排水が貯留される処理タンクと、前記排水に浸漬される濾過膜と、オゾンを含む空気であるオゾン化空気を、前記排水の内部にて前記濾過膜の下方で発生させる気体発生手段と、を備え、前記気体発生手段は、前記濾過膜に付着した前記活性汚泥から成る汚泥層の表面に、前記オゾン化空気が接触する様に、前記オゾン化空気を発生させることを特徴とする。
【発明の効果】
【０００９】
本発明によれば、オゾンを含む気体を、活性汚泥を含む被処理水が貯留される処理タンクに直に導入している。これにより、濾過膜に付着した活性汚泥から成る汚泥層の表面に、オゾンを含む気体が直に接触するので、オゾンで効率的に活性汚泥に含まれる菌を殺菌することが可能となる。よって、オゾンによる殺菌の効果が向上し、活性汚泥による汚水処理の効率が向上する。
【図面の簡単な説明】
【００１０】
【図１】本発明の排水処理装置を示す図であり、（Ａ）は排水処理装置を全体的に示す斜視図であり、（Ｂ）は濾過膜を示す斜視図であり、（Ｃ）は濾過面を示す断面図である。
【図２】本発明の排水処理装置を示す図であり、処理タンクに複数の濾過膜が浸漬させる構造を示す断面図である。
【図３】本発明の排水処理装置を示す図である。
【図４】本発明の排水処理装置を用いて処理を行った際の活性汚泥沈殿率の経時変化を示すグラフである。
【図５】（Ａ）は本発明の排水処理装置を用いて処理を行った際の排気オゾン濃度の経時変化を示すグラフであり、（Ｂ）および（Ｃ）はその際の活性汚泥の状況を示す図である。
【図６】本発明の排水処理装置を用いて処理を行った際の、圧力およびフラックスの経時変化を示すグラフである。
【発明を実施するための形態】
【００１１】
図１を参照して、本形態に係る排水処理装置１０の構成を説明する。
【００１２】
本発明の排水処理装置１０は、排水２４が貯留される処理タンク１２と、排水２４に浸漬された濾過膜１６と、処理タンク１２の下方に配置されてオゾン化空気３０を発生させる散気部２８と、濾過膜１６とパイプを経由して連通して吸引圧を与えるポンプ１８とを主要に備えている。尚、この図１では、各要素を接続するパイプを太い実線で示している。
【００１３】
本形態の排水処理装置１０の機能は、処理タンク１２に含まれる活性汚泥で、排水２４に含まれる有機性物質を減少させ、更に、濾過膜１６で濾過された濾過水２６を外部に取り出すことに有る。よって、本形態の排水処理装置１０で処理された後の濾過水２６は、導入される排水２４と比較すると、含有される有機性物質が少なく、更に、残渣が殆ど含まれていない状態である。更に本形態では、処理タンク１２の内部でオゾン化空気を発生させているので、バルキングやファウリングの発生が抑制される等の効果が得られる。
【００１４】
本形態で処理される排水２４は、有機性物質が高濃度に水に含まれたものであり、具体的には、糞尿等を含む一般下水、食品工場等から排出される排水等である。
【００１５】
処理タンク１２は、ステンレス等から成る金属または樹脂製の容器であり、濾過される排水２４および濾過膜１６等を収納する役割を有する。排水２４の汚泥処理および濾過処理は処理タンク１２で行われる。
【００１６】
濾過膜１６は、ここでは平膜の濾過膜であり、処理タンク１２に収納された排水２４に浸漬されている。ここで、濾過膜１６は、実質的に濾過を行う濾過面が全面的に排水２４に浸漬される状態となっている。濾過膜１６の内部空間は、パイプを経由してポンプ１８と連通しており、ポンプ１８が濾過膜１６の内部空間に所定の吸引圧を加える事で、濾過膜１６により排水２４が濾過される。これにより、濾過された排水２４である濾過水が処理タンク１２から取り出される。
【００１７】
濾過膜１６の材料としては、樹脂材料、セラミック、焼結金属、細かい濾過孔が設けられた金属板等が採用される。図１（Ａ）では１つのみの濾過膜１６が排水２４に浸漬されているが、実際は、所定の間隔で離間された複数の濾過膜１６が排水２４に浸漬される。また、濾過膜１６の形状としては、平膜型が一般的であるが、円筒型のものが採用されても良い。
【００１８】
散気部２８は、処理タンク１２の内部に於いて濾過膜１６の下方に配置されており、オゾン化空気３０を発生させる役割を有する。具体的には、排水処理装置１０の稼働状況下において、オゾン発生器２３から発生したオゾンを所定量含む空気から成るオゾン化空気３０が散気部２８から散気されている。この散気は、ポンプ１４により与えられる加圧力を用いて行われる。散気部２８の具体的形状は、上部に孔部が設けられた管の如き形状である。
【００１９】
ここで、オゾン化空気３０で、空気にオゾンが含まれる割合の一例は、１０ｐｐｍ以上３０ｐｐｍ以下である。オゾン化空気３０にオゾンが含まれる割合を１０ｐｐｍ以上とすることで、汚泥に含まれる粘着物質がオゾン化空気３０で十分に分解される。また、この割合を３０ｐｐｍ以下とすることで、活性汚泥に含まれる有用な菌がオゾン化空気３０で死滅することが抑制される。尚、上記した背景技術で排水に散気される気体は１００００ｐｐｍ以上のオゾンを含むことを考慮すると、本形態にてオゾン化空気３０にオゾンが含まれる割合が低いことが分かる。
【００２０】
ここでは、圧力計２０で計測される圧力が一定となるように、ポンプ１８から濾過膜１６に負圧が加えられ、これにより、排水２４が濾過膜１６で濾過された濾過水２６がパイプを経由して外部に取り出される。濾過膜１６の内部空間にポンプ１８から付与される吸引圧は例えば１０ｋＰａ程度である。
【００２１】
図１（Ｂ）を参照して、平膜状のセラミック濾過膜が濾過膜１６として採用された場合、紙面上にて左右方向に対向する主面が濾過面１６Ａとなる。この濾過面１６Ａの全体に濾過孔が形成されている。また、濾過膜１６の内部には縦方向に細長く直方体形状に伸びる多数の空隙部１６Ｂ（内部空間）が形成されている。これらの空隙部１６Ｂは、濾過膜１６の上端部付近に接続するパイプと連通している。そして、濾過面１６Ａに形成された濾過孔は空隙部１６Ｂと連通している。よって、濾過時には、濾過面１６Ａを透過した被処理水である濾過水が、空隙部１６Ｂを経由してパイプに供給される。
【００２２】
濾過膜１６で濾過を行う際には、濾過面１６Ａの表面に被除去物（排水２４に含まれる有機性の微粒子等）が補足され、この被除去物自体が濾過膜１６の表面で自己形成膜を形成する。更に、排水２４に含まれる汚泥も濾過面１６Ａに補足される。
【００２３】
図１（Ｃ）は、図１（Ｂ）にて点線の円で囲んだ部分を拡大して示す断面図である。この図に示すように、濾過面１６Ａに設けられる濾過孔１６Ｃの大きさは、排水２４に含まれる微粒子や、汚泥層２２を構成する物質よりも小さい。よって、濾過膜の濾過面１６Ａにて排水２４を濾過すると、汚泥層２２や微粒子が、濾過面１６Ａの濾過孔１６Ｃを通過すること無く、濾過面１６Ａの表面に付着する。この濾過を進行させることにより、図に示すように、堆積した被除去物から成る汚泥層２２が濾過面１６Ａの表面に形成される。
【００２４】
本形態で濾過膜１６を用いた濾過を進行させると、濾過膜１６の濾過面１６Ａに上記した汚泥層２２が厚く堆積する。本形態では、汚泥層２２は濾過に寄与する自己形成膜でないものの、汚泥層２２が存在する状況であっても濾過面１６Ａによる濾過処理を続行することができる。
【００２５】
図２を参照して、本形態の排水処理装置１０に配置される濾過膜の構成を更に説明する。この図に示すように、処理タンク１２の内部には複数の濾過膜１６Ｄ、１６Ｅ、１６Ｆ、１６Ｇが、互いの主面（濾過面）が略並行に対面するように配置されている。そして、各濾過膜１６Ｄ等で濾過を連続させる状況下では、各濾過膜１６Ｄ等の両主面（濾過面）には汚泥層２２が積層されている。
【００２６】
本形態では、濾過膜１６Ｄ等の濾過膜に付着された汚泥層２２に、オゾン化空気３０が接触しつつ上昇するように、散気部２８が配置されている。具体的には、紙面上にて最も左側に配置された濾過膜１６Ｄと処理タンク１２の側壁との間隙に、オゾン化空気３０が侵入するように、散気孔１７Ａが設けられている。即ち、散気部２８の散気孔１７Ａは、この間隙の下方に配置されている。同様に、濾過膜１６Ｄ、１６Ｅおよび１６Ｆ同士の間隙の下方に、散気孔１７Ｂ、１７Ｃおよび１７Ｄが設けられている。更に、右端に配置された濾過膜１６Ｇと処理タンク１２の側壁との間隙の下方に散気孔１７Ｅが配置されている。
【００２７】
また、濾過膜１６Ｄと、処理タンク１２の側壁との距離Ｌ２は、散気孔１７Ａから発生したオゾン化空気３０が、濾過膜１６Ｄに堆積した汚泥層２２と処理タンク１２の側壁に接触しつつ上昇できる程度の幅に設定される。
【００２８】
これにより、濾過膜１６Ｄ等の濾過面に積層した汚泥層２２に、直にオゾン化空気３０を接触させることができる。具体的には、散気孔１７Ａから発生したオゾン化空気３０は、濾過膜１６Ｄの左側の濾過面に堆積した汚泥層２２と、処理タンク１２の側壁とに接触しつつ上昇する。
【００２９】
同様に、散気孔１７Ｂ、１７Ｃ、１７Ｄから発生したオゾン化空気３０は、各濾過膜に堆積した汚泥層２２に接触しつつ上昇する。例えば、散気孔１７Ｂから発生したオゾン化空気３０は、濾過膜１６Ｄの右側の濾過面に付着した汚泥層２２と、濾過膜１６Ｅの左側の濾過面に付着した汚泥層２２に接触しつつ上昇する。また、散気孔１７Ｅから発生したオゾン化空気３０は、濾過膜１６Ｇの右側の濾過面に付着した汚泥層２２と処理タンク１２の内壁に接触しつつ上昇する。
【００３０】
よって、汚泥層２２に含まれる殺菌は、直にオゾン化空気３０に接触することになり、汚泥層２２に含まれる菌が殺菌させる。汚泥層２２に含まれる菌の中でも、特に糸状菌は濾過を阻害するファウリング物質を生成する有害なものである。本形態では、オゾン化空気３０を直に汚泥層２２に接触させることで、この糸状菌を殺菌してファウリング物質の生成を抑制することができる。これにより、排水処理装置１０の稼働状況下に於ける濾過膜１６Ｄ等の閉塞が抑制される。
【００３１】
散気部２８は、濾過膜１６Ｄ等が整列する方向に長軸を有する管路であり、その上端部付近に所定間隔で散気孔１７Ａ等が開口されている。上方に設けられる濾過膜１６Ｄ等と散気孔１７Ａ等の相関関連は上記したとおりである。ここで、各散気孔１７Ａは平面視で円形に開口されており、その直径は例えば５．０ｍｍ以上である。これにより、散気孔１７Ａ等から発生するオゾン化空気３０の直径が１０ｍｍ以上となり、対面する汚泥層２２の両方にオゾン化空気３０が接触しつつ上昇し、上記した殺菌の効果が奏される。
【００３２】
図３を参照して、他の形態の排水処理装置１０を説明する。この図に示す排水処理装置１０の基本的構成は上記したものと同様であり、処理タンク１２に接触板３２Ａ等を有する点が異なる。
【００３３】
ここでは、濾過膜１６と散気部２８との間に、散気部２８から発生したオゾン化空気３０を拡大させるために、複数の接触板３２Ａ、３２Ｂ、３２Ｃが設けられている。具体的には、接触板３２Ｂ、３２Ｃは、散気部２８の上方で処理タンク１２の左右両内壁から中央付近まで延在している。接触板３２Ａは、接触板３２Ｂおよび３２Ｃでカバーされない開口領域の上方に配置されており、平面視ではこの開口領域の全てが接触板３２Ａにより覆われるようになっている。ここでは、接触板３２Ａ等の主面は、重力が作用する方向に直行する様に配置されているが、重力方向に傾斜して配置されても良い。
【００３４】
接触板３２Ａ等をこのように配置することにより、散気部２８から発生したオゾン化空気３０が拡大され、濾過膜１６にオゾン化空気３０を確実に接触するように成る。具体的には、散気部２８から発生したオゾン化空気３０が、接触板３２Ａ、３２Ｂまたは３２Ｃに接触することでその上昇が一時的にストップし、複数のオゾン化空気３０が一つとなった直径の大きいオゾン化空気３０が生成される。本形態では、２つの接触板３２Ｂ、３２Ｃの開口領域の上方に接触板３２Ａを配置しているので、この効果が大きくなる。
【００３５】
図４を参照して、本形態の濾過装置を用いた場合の減容化に関して説明する。このグラフの縦軸はＳＶ（活性汚泥沈殿率）を示し、横軸は経過時間を示している。このグラフで、菱型が付された線は未処理汚泥のＳＶの変化を示し、黒塗りの円が付された線はオゾン添加空気（オゾン化空気）を散気した汚泥のＳＶの変化を示し、白塗りの円が付された線は空気を散気した汚泥のＳＶの変化を示す。ここでの実験条件は、汚泥３Ｌに延べ１１８ｈｒ散気した後に汚泥の沈降性を観察している。また、オゾン化空気に含まれるオゾンの濃度は、入口で５２ｐｐｍであり、出口で３０ｐｐｍである。
【００３６】
このグラフを参照して、菱型が付された線で示す未処理汚泥では、ＳＶの経時変化が少ない。よって、この場合は、時間の経過と共に活性汚泥の量が少なくなる減容の効果は小さい。
【００３７】
これと比較して、空気を散気した場合では、時間の経過と共にＳＶが顕著に低下している。これは、活性汚泥が自己消化されていることを意味している。ここで、自己消化とは、処理水中の有機物が無くなることで死滅したバクテリアの死骸を、他のバクテリアが摂取することで、全体としてのバクテリアの量が減少することである。
【００３８】
一方、オゾン添加空気を散気した場合では、空気を散気した場合と比較すると減少率は小さいものの、時間の経過と共にＳＶが低下している。よって、オゾンを含む空気を散気する場合であっても、活性汚泥に含まれるバクテリアの活動を活発にして、一定の減容化を達成できることが判明した。
【００３９】
図５を参照して、次に、本形態によるバルキング抑制の効果について説明する。図５（Ａ）は被処理水から発せられる排気オゾン濃度を示し、図５（Ｂ）はオゾン化空気が散気されない場合の汚泥の状態を示す画像であり、図５（Ｃ）はオゾン化空気が散気された場合の汚泥の状態を示す画像である。
【００４０】
図５（Ａ）を参照して、若干の変化はあるものの、散気されるオゾン化空気のオゾン添加濃度が５２ｐｐｍの場合では、処理水を経て排気されるオゾン化空気のオゾン添加濃度は約３０ｐｐｍとなっている。この排気オゾン濃度の値には若干の経時変化が存在するが、これは上昇する気泡の位置や量が必ずしも一定でないこと等が理由である。導入前と排気後では、オゾン化空気のオゾン添加濃度が約２０ｐｐｍ減少しているが、これは、糸状菌等の除菌にオゾンが消費されたからである。
【００４１】
図５（Ｂ）に、オゾンが添加されていない空気を散気した場合の活性汚泥の状態を示す。この画像で白の点線で囲んだ部分でバルキングが発生している。ここで、バルキングとは活性汚泥が膨化して沈降しにくく成る好ましくない現象である。これは、バクテリアの過度の増殖が原因とされる。
【００４２】
図５（Ｃ）に、オゾン化空気を散気した場合を示す。この図からも明らかなように、オゾン化空気を散気した場合は汚泥にバルキングは発生していない。この理由は、活性汚泥にオゾン化空気が直に接触することで、バクテリアが効率的に殺菌されたからである。
【００４３】
上記の結果から、本形態でオゾン化空気を排水に散気することにより、活性汚泥の殺菌に相当量のオゾンが消費され、これによりバルキングの発生が抑制されることが分かる。
【００４４】
図６を参照して、本形態の排水処理装置によりファウリングが抑制されて一定の流量が確保される事項を説明する。この図に示すグラフでは、横軸は日付を示し、左側の縦軸はポンプが濾過膜に与える圧力を示し、右側の縦軸はフラックスを示す。ここでの稼働条件は、汚泥３Ｌに対して散気が３Ｌ／ｍｉｎで行われ、オゾンが１０ｍｇ／ｈｒであり、夜間は稼働していない。
【００４５】
このグラフでは、９月３日から９月９日まで（期間１）は空気を活性汚泥に散気し、９月１１日から９月２１まで（期間２）はオゾン化空気を散気し、９月２３日から９月２７日まで（期間３）は再び空気を散気している。
【００４６】
また、このグラフで、白抜きの円が付された実線は開始時の圧力を示し、黒塗りの円が付された点線は終了時の圧力を示し、黒塗りの三角が付された実線は開始時のフラックスを示す。
【００４７】
このグラフから明らかなように、空気を散気する期間１および期間３では、運転開始後に濾過圧が上昇傾向となっている。これは、空気を散気することでバクテリアの活動が活発になり、活性汚泥にファウリングが発生して閉塞しているのが原因である。
【００４８】
一方、オゾン化空気を活性汚泥に散気する期間２では、運転開始後に於ける濾過圧の上昇が抑制されている。これは、オゾン化空気が活性汚泥に直に接触することで、活性汚泥を構成するバクテリアが適度に除菌され、更に、ファウリング物質がオゾンで分解されたためと考えられる。
【００４９】
上記した本形態により奏される詳細な効果は以下のとおりである。
【００５０】
図１を参照して、本願発明では、濾過膜１６の下方で散気部２８からオゾン化空気３０を発生させている。よって、発生したオゾン化空気３０が、濾過膜１６に堆積した汚泥層２２に直に接触することにより、汚泥層２２に含まれるバクテリアが適度に殺菌される。即ち、活性汚泥処理を阻害する糸状菌を殺菌する一方、活性汚泥処理に寄与するチフス菌は基本的には殺菌しない。この結果、上記したファウリングの発生が抑制される。よって、一般的なセラミック濾過膜で必要とされる逆洗を長期間に渡り不要にして、濾過膜１６による濾過を長期間に渡り続行できる。更に、同様の理由により、処理タンク１２に貯留される排水２４に含まれる活性汚泥の濃度を高くしても、汚泥層２２の閉塞を抑止しつつ濾過を続行させることが可能となる。
【００５１】
更に本願発明では、オゾン化空気３０に含まれるオゾンの割合を所定の範囲とすることで、バクテリアを適切に殺菌でき、更にオゾンが排水２４に溶解しないことを実現している。多量のオゾンが排水２４に溶解すると、強い殺菌効果により活性汚泥が死滅してしまう恐れがあるが、オゾン化空気に含まれるオゾンの割合を所定範囲とすることで、この不具合が解消される。
【００５２】
また、活性汚泥は排水２４の気液界面にも存在するが、排水２４の上面に排出されるオゾン化空気３０に含まれるオゾンで殺菌されるため、気液界面に於けるバルキングの発生も抑止されている。
【００５３】
更にまた、オゾン化空気には排水自体に含まれる有機性物質を融解する効果もあるため、得られる濾過水２６が脱色されると共に、ＣＯＤが低下する効果が得られる。
【００５４】
また、上記した背景技術では、処理槽に導入される排水にオゾンを溶解させる専用の装置が必要とされたが、本願発明では活性汚泥法による排水処理に直に気体の状態でオゾンを散気するので、設備の複雑化や大型化を伴わずに高度な排水処理が行える。
【００５５】
上記した本形態は、以下のように変更可能である。
【００５６】
図１（Ａ）を参照して、濾過膜１６による排水の濾過処理を進めた結果、濾過膜１６から十分なフラックスが得られなくなったら、逆洗を行ってもよい。具体的には、濾過行程をストップした後、ポンプの圧力を用いて濾過水２６を濾過膜１６に圧送して、濾過膜１６の濾過孔を防ぐ微粒子を外部に放出する。この逆洗により濾過膜１６の目詰りが解消されたら、再び濾過膜１６による濾過を行う。
【００５７】
図１（Ａ）を参照して、処理タンク１２を密閉型にしてもよく、これにより、排水２４から排出されたオゾン化空気３０により、排水２４の上面に浮遊する活性汚泥を殺菌する効果が大きくなる。
【符号の説明】
【００５８】
１０   排水処理装置
１２   処理タンク
１４   ポンプ
１６   濾過膜
１６Ａ 濾過面
１６Ｂ 空隙部
１６Ｃ 濾過孔
１６Ｄ，１６Ｅ，１６Ｆ，１６Ｇ，１６Ｈ    濾過膜
１７，１７Ａ，１７Ｂ，１７Ｃ，１７Ｄ，１７Ｅ     散気孔
１８   ポンプ
２０   圧力計
２２   汚泥層
２３   オゾン発生器
２４   排水
２６   濾過水
２８   散気部
３０   オゾン化空気
３２，３２Ａ，３２Ｂ，３２Ｃ接触板
【図１】
2014233685.tif 000003
【図２】
2014233685.tif 000004
【図３】
2014233685.tif 000005
【図４】
2014233685.tif 000006
【図５】
2014233685.tif 000007
【図６】
2014233685.tif 000008